(57)【要約】    【課題】  選別部において傾斜体の傾斜上面上を物品が上方から下方へ通過する際に、大寸法物品と小寸法物品を確実性高く分離することができる。    【解決手段】  収容箱１８の上板から、上面略二等辺三角形状の傾斜板２２を前下方に傾斜突設する。上面２２ｕの横方向幅は主傾斜方向下方へと漸次縮小する。傾斜板２２同士の間の落下間隙２６は下方へと横方向幅が漸次拡大する。上端を回動自在に支持した遮蔽板３０の上部前側面に、後方下降傾斜するよう付勢する重り体Ｗを設ける。差入口１２からタバコを投入すると、傾斜板２２上面から落下間隙２６に落下して収容箱１８に収容される。封筒等は傾斜板２２上を通過し、遮蔽板３０に衝突して遮蔽板３０を前方へ回動させ、収容箱１８の前板の上方を通過して収容箱１８の前方に達するか、収容箱１８の前板の上方において遮蔽板３０の下端縁の下側を通過して収容箱１８の前方に達し、郵袋２０内に落下する。【選択図】      図１
2005262028.tif 000002
【特許請求の範囲】
【請求項１】
上面が傾斜した傾斜体上を上方から下方へ通過する物品のうち対象物品を分離するための選別部を有する選別装置であって、
前記上面は、下方に端部を有すると共に少なくとも前記物品の通過方向である主傾斜方向に下降傾斜し、その主傾斜方向に直交する水平方向である横方向の幅が、主傾斜方向における下方に向かうに従い漸次縮小するものであり、横方向における傾斜体の側方に、主傾斜方向における下方に向かうに従い横方向幅が漸次拡大する落下間隙を有し、前記上面上を上方から下方へ通過する物品のうち対象物品が、前記落下間隙に落下することにより分離されることを特徴とする選別装置。
【請求項２】
上記傾斜体を複数有し、それらの傾斜体が横方向に複数並列しており、それらの隣接傾斜体同士の間に、主傾斜方向における下方に向かうに従い横方向幅が漸次拡大する落下間隙が形成されている請求項１記載の選別装置。
【請求項３】
上記傾斜体の上面の下方端部が尖端状をなす請求項１又は２記載の選別装置。
【請求項４】
上記傾斜体が、横方向の幅が主傾斜方向における下方に向かうに従い漸次縮小し、下部が自由端部である片持ち状をなすものである請求項１、２又は３記載の選別装置。
【請求項５】
上記傾斜体の上面が傾斜体の側方に向かって下降傾斜している請求項１乃至４の何れかに記載の選別装置。
【請求項６】
上記傾斜体の上面が傾斜体の両側方に向かって下降傾斜している請求項１乃至４の何れかに記載の選別装置。
【請求項７】
上記傾斜体の上面よりも下方に、落下間隙に落下した小寸法物品を収容する収容部又は収容口を有する請求項１乃至６の何れかに記載の選別装置。
【請求項８】
上記傾斜体の上面よりも前方側に遮蔽面が位置する遮蔽部を有し、
前記遮蔽部は、静止位置に復帰し得るように付勢された状態で、前記静止位置よりも前方に移動可能であり、
前記静止位置に位置する遮蔽部の遮蔽面は、前記傾斜体の上面の下端との間に所定間隔を挟んだ状態をなし、
前記傾斜体の上面上を上方から下方へ通過して前記静止位置に静止した遮蔽部の遮蔽面に衝突した物品が、所定重量より軽い場合には、その遮蔽部は実質上静止状態を維持して当該物品は前記傾斜体の上面の下端と遮蔽面との間又は上記落下間隙を介して上記収容部又は収容口に収容され得、前記衝突した物品が所定重量より重い場合には、その遮蔽部は前方に移動して当該物品が前記収容部又は収容口よりも前方に達し得る請求項７記載の選別装置。
【請求項９】
上記静止位置の遮蔽部の下端と収容部又は収容口の前部上端との間に、傾斜体の上面上を、その上面に対し平行な姿勢で上方から下方へ通過したシート状物品が通過して前記収容部又は収容口よりも前方に達し得る間隙を有する請求項８記載の選別装置。
【請求項１０】
夜間金庫用、貸出物回収装置用、不要物回収装置用、リサイクル物回収装置用、又は配送物受入装置用の請求項１乃至９の何れかに記載の選別装置。
【発明の詳細な説明】
【技術分野】
【０００１】
本発明は、上面が傾斜した傾斜体上を上方から下方へ通過する物品のうち対象物品、例えば火のついたタバコ等を分離するための選別部を有する選別装置に関する。
【背景技術】
【０００２】
特許第３０９６０４０号公報（特許文献１）には、「ポスト本体の差入口の内側下方で、かつ、ポスト本体内の郵袋の上方に位置し、前記差入口から投函された郵便物のみを選択して前記郵袋に導く選択手段と、前記選択手段で選択された前記差入口から投函された郵便物を除く異物を収容する異物収容手段と、少なくとも、揺動自在に配設し、前記差入口から投函された運動エネルギーを低減させる差入口より広い幅を有し、略く字状に折曲した規制板を有し、前記差入口から投函された郵便物を郵袋に導く投函物案内手段とを具備し、
前記選択手段は、前記異物収容手段を構成する収容箱の上面及び前記収容箱の前記規制板側の前面から前記収容箱の底部まで異物を導くポスト用異物収集装置において、
前記選択手段は、前記異物収容手段を構成する収容箱の上面に、前記差入口に近い位置を高く、前記差入口から離れるに従って低く形成し、前記差入口の方向に対して直角に所定の間隔で複数の線材を配設し、前記規制板との間に間隙を形成し、収容箱の立上前面との間にも間隙を形成して収容箱の底部まで異物を導くことを特徴とするポスト用異物収集装置。」の発明が記載されている。
【０００３】
特許第３０９６０４０号のポスト用異物収集装置によれば、差入口から投函された郵便物のみが、差入口の方向に対して直角に所定の間隔で配設された複数の平行線材上を郵袋に導かれ、火の付いたタバコが投入されると、比較的短いタバコは、線材の間を落下して収容箱に収容され、比較的長いタバコは、線材の間を落下し得ずに平行線材上を降下し、線材と規制板との間の間隙を介して収容箱に収容されることになり得る。
【０００４】
このポスト用異物収集装置においては、線材により十分な強度を実現するために、線材を平行に配列して各線材の下部を収容箱底面に溶接等により固定している。そのため、収容箱を取り外して収容したタバコを廃棄する場合、線材間に落下して収容したタバコの廃棄は、線材が邪魔になって円滑には行い難い点がある。また、火のついた比較的長いタバコは、線材の間を落下し得ずに平行線材上を降下するため、別の郵便物等により規制板が少しでも開いた状態にあると、そのまま郵袋に導かれて郵袋内の郵便物が燃える危険性がある。更に、火のついた比較的長いタバコが収容される収容箱の立上前面と線材の間の空間は、極めて狭いため、タバコが溢れて郵袋に落下することになり易い。
【特許文献１】特許第３０９６０４０号公報
【発明の開示】
【発明が解決しようとする課題】
【０００５】
本発明は、上記背景技術の下で行われたものであって、その目的とするところは、選別部において傾斜体の傾斜上面上を物品が上方から下方へ通過する際に、大寸法物品と小寸法物品を確実性高く分離することができる選別装置を提供することにある。
【課題を解決するための手段】
【０００６】
(1)  上記目的を達成する本発明の選別装置は、
上面が傾斜した傾斜体上を上方から下方へ通過する物品のうち対象物品を分離するための選別部を有する選別装置であって、
前記上面は、下方に端部を有すると共に少なくとも前記物品の通過方向である主傾斜方向に下降傾斜し、その主傾斜方向に直交する水平方向である横方向の幅が、主傾斜方向における下方に向かうに従い漸次縮小するものであり、横方向における傾斜体の側方に、主傾斜方向における下方に向かうに従い横方向幅が漸次拡大する落下間隙を有し、前記上面上を上方から下方へ通過する物品のうち対象物品が、前記落下間隙に落下することにより分離されることを特徴とする。
【０００７】
選別部において傾斜体の傾斜上面上を物品が上方から下方へ（例えば滑動や転動等により）前方に向かって通過する際に、寸法が所定程度（落下間隙のうち少なくとも下方部に落下し得る程度）に小さい物品（以下、小寸法物品という。）は、傾斜体の上面から傾斜体の側方の落下間隙に落下して、或いは直接落下間隙に落下して、他の物品（以下、大寸法物品という。）と分離される。例えば、タバコ等が小寸法物品、郵便物等が大寸法物品であるように傾斜体と落下間隙を構成することができる。
【０００８】
傾斜体の上面の横方向幅が、主傾斜方向における下方に向かうに従い漸次縮小し、横方向における傾斜体の側方に、主傾斜方向における下方に向かうに従い横方向幅が漸次拡大する落下間隙を有するので、傾斜体の傾斜上面上を下方移動する小寸法物品は、下方移動に従いより確実に落下間隙に落下する。そのため、選別部において大寸法物品と小寸法物品を確実性高く分離することができる。
【０００９】
また、傾斜体は、その上面の横方向幅が主傾斜方向における下方に向かうに従い漸次縮小するものであるため、全体が細幅又は線状である場合に比し、傾斜体全体として、上面上に載荷される荷重に対する強度を高めることができる。而も、線材を平行に配列して各線材の下部を収容箱底面に溶接等により固定する場合に比し、製造効率が高くコストを低減することができる。
【００１０】
なお、傾斜体の上面の側辺は、上方から下方に向かって、その上面の内方側に傾いている（例えば主傾斜方向に対し１０乃至６０度、好ましくは２０乃至４５度。）ことが好ましい。傾斜体の傾斜上面上を下方移動する小寸法物品が下方移動に従いより確実性高く落下間隙に落下するからである。
【００１１】
(2)  上記本発明の選別装置は、上記傾斜体を複数有し、それらの傾斜体が横方向に複数並列しており、それらの隣接傾斜体同士の間に、主傾斜方向における下方に向かうに従い横方向幅が漸次拡大する落下間隙が形成されているものとすることができる。
【００１２】
(3)  上記傾斜体の上面の下方端部は尖端状をなすものとすることが好ましい。
【００１３】
この場合、小寸法物品が落下間隙に落下せずに傾斜体の上面上を上方から下方端部に達したとしても、傾斜体の上面の下方端部が尖端状をなすため、小寸法物品は確実性高く落下間隙に落下する。
【００１４】
(4)  上記傾斜体は、横方向の幅が主傾斜方向における下方に向かうに従い漸次縮小し、下部が自由端部である片持ち状をなすものであることが好ましい。このような傾斜体としては、上部側（好ましくは上端部）が選別装置の一部に固定支持された片持ち傾斜板状であることがより好ましい。
【００１５】
この場合、傾斜体の横方向幅が主傾斜方向における下方に向かうに従い漸次縮小するものであるため、全体が細幅又は線状である場合に比し、傾斜体全体として、上面上に載荷される荷重に対する強度を高めることができ、また、線材を平行に配列して各線材の下部を収容箱底面に溶接等により固定する場合に比し、製造効率が高くコストを低減することができる。而も、傾斜体が、下部が自由端部である片持ち状をなすため、下側に傾斜体を支持する支柱等の支持部等を要せず、傾斜体の下方（少なくとも傾斜体の下部側の下方）に開放空間が形成される。そのため例えば小寸法物品を収容する収容器の容量を大きくすることができると共に収容した小寸法物品の排出（例えば収容器を取り外しての排出、或いは収容器が固定された状態での排出等）も容易にすることができる。また例えば、傾斜体の下側から下方へ通じる排出路を設けて小寸法物品を排出させるようにすることもできる。
【００１６】
なお、このような片持ち傾斜板状の傾斜体の側辺は、上方から下方に向かって、その上面の内方側に傾いている（例えば主傾斜方向に対し１０乃至６０度、好ましくは２０乃至４５度。）ことが好ましい。傾斜体の傾斜上面上を下方移動する小寸法物品が下方移動に従いより確実性高く落下間隙に落下するからである。
【００１７】
(5)  上記傾斜体の上面は、傾斜体の側方に向かって下降傾斜（上に凸の湾曲下降傾斜が好ましい。）しているものであることが好ましい。
【００１８】
この場合、傾斜体の上面が傾斜体の側方（横方向）に向かって下降傾斜しているため、傾斜体の傾斜上面上の小寸法物品は、傾斜体の側方の落下間隙に、より確実に落下する。そのため、選別部において大寸法物品と小寸法物品をより確実性高く分離することができる。
【００１９】
(6)  上記傾斜体の上面は、傾斜体の両側方に向かって下降傾斜（上に凸の湾曲下降傾斜が好ましい。）しているものとすることが好ましい。
【００２０】
傾斜体の上面が傾斜体の両側方（横方向）に向かって下降傾斜しているため、傾斜体の傾斜上面上の小寸法物品は、傾斜体の何れかの側方の落下間隙に、より確実に落下する。そのため、選別部において大寸法物品と小寸法物品をより確実性高く分離することができる。
【００２１】
(7)  上記選別装置は、上記傾斜体の上面よりも下方に、落下間隙に落下した小寸法物品を収容する収容部又は収容口を有するものとすることができる。
【００２２】
この場合、傾斜体の側方の落下間隙に落下した小寸法物品は、収容部又は収容口に収容される。
【００２３】
(8)  上記(7)の選別装置は、
上記傾斜体の上面よりも前方側に遮蔽面が位置する遮蔽部を有し、
前記遮蔽部は、静止位置に復帰し得るように付勢された状態で、前記静止位置よりも前方に移動可能であり、
前記静止位置に位置する遮蔽部の遮蔽面は、前記傾斜体の上面の下端との間に所定間隔を挟んだ状態をなし、
前記傾斜体の上面上を上方から下方へ通過して前記静止位置に静止した遮蔽部の遮蔽面に衝突した物品が、所定重量より軽い場合には、その遮蔽部は実質上静止状態を維持して当該物品は前記傾斜体の上面の下端と遮蔽面との間又は上記落下間隙を介して上記収容部又は収容口に収容され得、前記衝突した物品が所定重量より重い場合には、その遮蔽部は前方に移動して当該物品が前記収容部又は収容口よりも前方に達し得るものとすることができる。
【００２４】
この場合、遮蔽部は、通常状態では、遮蔽面が傾斜体の上面の下端との間に所定間隔を挟んだ状態をなす静止位置に静止している。静止位置よりも前方に移動した遮蔽部は、付勢力により静止位置に復帰する。
【００２５】
傾斜体の上面の横方向幅が、主傾斜方向における下方に向かうに従い漸次縮小し、横方向における傾斜体の側方に、主傾斜方向における下方に向かうに従い横方向幅が漸次拡大する落下間隙を有するので、傾斜体の傾斜上面上を下方移動する小寸法物品は、下方移動に従いより確実に落下間隙に落下して収容部又は収容口に収容される。そのため、所定重量より重い大寸法物品により遮蔽部が前方に移動した状態にあったとしても、小寸法物品が落下間隙に落下せずに収容部又は収容口よりも前方に達することは確実性高く防がれる。
【００２６】
仮に所定重量より軽い小寸法物品が落下間隙に落下せずに傾斜体の上面上を上方から下方へ通過して静止位置に静止した遮蔽部の遮蔽面に衝突したとすると、遮蔽部は静止状態を維持し、遮蔽面に衝突した当該小寸法物品は傾斜体の上面の下端と遮蔽面との間又は落下間隙を介して収容部又は収容口に収容される。
【００２７】
所定重量より重い大寸法物品は、落下間隙に落下せずに傾斜体の上面上を上方から下方へ通過して静止位置に静止した遮蔽部の遮蔽面に衝突し、その衝突により遮蔽部が前方に移動して当該大寸法物品は収容部又は収容口よりも前方に達する。
【００２８】
(9)  上記(8)の選別装置は、
静止位置の遮蔽部の下端と収容部又は収容口の前部上端との間に、傾斜体の上面上を、その上面に対し平行な姿勢で上方から下方へ通過したシート状物品が通過して前記収容部又は収容口よりも前方に達し得る間隙を有するものとすることができる。
【００２９】
この場合、傾斜体の上面上を、その上面に対し平行な姿勢で上方から下方へ通過したシート状物品は、静止位置の遮蔽部の下端と収容部又は収容口の前部上端の間隙を通過して収容部又は収容口よりも前方に達し得る。
【００３０】
(10)  上記選別装置は、夜間金庫用、貸出物回収装置用、不要物回収装置用、リサイクル物回収装置用、又は配送物受入装置用の選別装置とすることができ、それぞれの場合、夜間金庫、貸出物回収装置、不要物回収装置、リサイクル物回収装置、又は配送物受入装置の一部を構成する。
【発明の効果】
【００３１】
本発明の選別装置によれば、選別部において傾斜体の傾斜上面上を物品が上方から下方へ通過する際に、大寸法物品と小寸法物品を確実性高く分離することができる。
【発明を実施するための最良の形態】
【００３２】
本発明の選別装置の実施の形態を、図面を参照しつつ説明する。
【００３３】
図面は何れも本発明の選別装置を用いた郵便ポストについてのものであって、図１は要部縦断面図、図２は、図１におけるII-II線断面図、図３は、図２におけるIII-III線断面図、図４は溝形体の要部断面図である。尤も、本発明は郵便ポストに限定されるものではなく、例えば、夜間金庫、貸出物回収装置、不要物回収装置、リサイクル物回収装置、配送物受入装置等にも使用可能である。
【００３４】
図１及び図２におけるポスト箱体Ｐは、左上部に、回動開閉し得る盗難防止板１０が内側に設けられた差入口１２を有し、ポスト箱体Ｐ内の差入口１２の内側に設けられた、前方（図１における右方）に下降傾斜する導入部１４の下方に、収容箱取付部１６を介して収容箱１８が着脱可能に取り付けられている。収容箱取付部１６に対する収容箱１８の着脱は、収容箱１８の背板の外側に設けられた嵌合部１８ａと収容箱取付部１６との図１に垂直な方向の摺動嵌脱によるが、これに限らない。収容箱１８の下方には、郵袋２０が配装される。
【００３５】
収容箱１８（収容部）は、図１に示されるように、方形の前上角部（図１における右上角部）を切り欠いた断面形状をなし、その切り欠いた部分を開口部Ｏｐとする横長の箱状体である。この収容箱１８は、前記断面形状の押し出し金属（アルミニウム）製の溝形体Ｃの両端部にそれぞれ側板１８ｓがビス止めされてなる横長の箱状体である。溝形体Ｃの内底部の前後角部Ｒは、それぞれ外向きに凸の湾曲断面に形成されている。
【００３６】
溝形体Ｃには、その断面における図１の前部下方位置及び後部上下位置に、それぞれ両端からビス（図示せず）を横方向に螺合させて側板１８ｓを固定するためのビス止用溝Ｂが横方向に貫通している。ビス止用溝Ｂの断面形状は、細幅開口部Ｂ１の奥側に、断面が拡大した螺合用溝底部Ｂ２が連通してなるものである。この例における螺合用溝底部Ｂ２の断面形状は円形状をなすものである。
【００３７】
収容箱１８の開口部Ｏｐに傾斜板２２が配設されることにより選別部Ｓが構成され、この選別部Ｓが、導入部１４の下側前方に位置する。
【００３８】
収容箱１８の上板１８ｔの下側に固定された水平基板部２４から、複数の同一傾斜板２２（傾斜体）が前下方（図１における右下方）に傾斜突設され、それらの傾斜板２２は横方向に等間隔に並列している。傾斜板２２の上面２２ｕは、略二等辺三角形状（又は等脚台形状）であり、上面２２ｕの横方向の幅は、主傾斜方向（図１における右下傾斜方向）における下方に向かうに従い漸次縮小し、下端が尖端状の自由端部をなす。傾斜板（傾斜体）の上面２２ｕが三角形状である場合、側辺の基部の内角が鋭角であれば、その側辺は、上方から下方に向かって、その上面２２ｕの内方側に傾いていることとなり、上面２２ｕが台形状である場合、その側片（脚）の基部の内角が鋭角であれば、その側辺は、上方から下方に向かって、その上面２２ｕの内方側に傾いていることとなる。
【００３９】
傾斜板２２の下端は収容箱１８の前板１８ｆの上方におけるやや後方に位置する。また傾斜板２２の上面２２ｕは、図３に示されるように、中央から両側方へ、上に凸に湾曲下降傾斜している。この湾曲下降傾斜（傾斜）は、傾斜板２２の下方に向かうに従い曲率（俯角）が漸次大きくなるようにして傾斜上面２２ｕ上を下方移動する小寸法物品が、下方移動に従いより確実に落下間隙２６に落下するものとすることが好ましい。
【００４０】
傾斜板２２（傾斜体）の上面２２ｕの主傾斜方向の俯角は、例えば２０乃至６０度、好ましくは３５乃至５０度程度とすることができるがこれに限るものではない。また、傾斜板２２（傾斜体）の上面２２ｕの側方への下降傾斜の俯角は、例えば１５乃至８０度とすることができる。
【００４１】
傾斜板２２同士の間に形成されている落下間隙２６は、主傾斜方向における下方に向かうに従い横方向幅が漸次拡大する等脚台形状をなす。また両端に位置する傾斜板２２の外側の側辺と収容箱１８の両側板１８ｓとの間に形成されている落下間隙２６は、主傾斜方向における下方に向かうに従い横方向幅が漸次拡大する台形状をなす。
【００４２】
この例では、収容箱１８と傾斜板２２（傾斜体）は一体をなすが、傾斜板２２をポスト箱体Ｐに対し別に固定（着脱可能としてもよい）し、収容箱１８を傾斜板２２（傾斜体）と分離して着脱し得るようにすることや、収容箱１８に対し傾斜板２２（傾斜体）を着脱可能とすることもできる。また、傾斜体同士及び傾斜体間の落下間隙２６同士は必ずしも同一であることを要するものではない。
【００４３】
ポスト箱体Ｐの天板Ｐｔに設けられた遮蔽板取付部２８には、遮蔽板３０の上端部が回動自在に支持されている。遮蔽板３０の上部前側面（図１における右側面）には、遮蔽板３０を後方下降傾斜するよう付勢するための前下方傾斜状の重り体Ｗが設けられている。遮蔽板３０は、通常状態では、遮蔽面３０ｆ（後側面。図１における左側面。）が傾斜板２２の下端との間に所定間隔ｄ（この場合、タバコの直径よりやや広い間隔）を挟んだ状態をなす静止位置（図１における実線）に静止している。静止位置における遮蔽板３０の下端縁は、傾斜板２２の下端よりやや低い位置において収容箱１８の前板１８ｆの上方に位置する。静止位置よりも前方（図１における右方）に回動した遮蔽板３０は、重り体Ｗによる付勢力により静止位置に復帰する。静止位置では、遮蔽板３０の上端部に設けられたストッパＴが遮蔽板取付部２８に当接して後方回動（図１における時計回り回動）が防がれ、前記所定間隔ｄが維持される。なお、遮蔽板３０の遮蔽面３０ｆが静止位置より後方に移動することを防ぐ手段は、これに限るものではなく、例えば、収容箱１８の左右両側の前部に、遮蔽面３０ｆが当接して所定間隔ｄを維持するストッパ部を設けることもできる。なお、遮蔽板３０の左右両側位置には、差入口１２から投入された物品が側方へ離脱することを防ぐためのポスト箱体Ｐの天板Ｐｔに垂設された離脱防止板Ｅが位置している。
【００４４】
差入口１２から火のついたタバコ（所定重量より軽い小寸法物品）が投入されると、そのタバコが選別部Ｓにおいて傾斜板２２の傾斜上面２２ｕ上を上方から下方へ前方に向かって通過する際に、傾斜板２２の上面２２ｕから側方の落下間隙２６に落下して、或いは直接落下間隙２６に落下して収容箱１８に収容され、落下間隙２６に落下し得ない郵便物（大寸法物品）と分離される。
【００４５】
略二等辺三角形状をなす傾斜板２２の上面２２ｕの横方向幅が、主傾斜方向における下方に向かうに従い漸次縮小し、側方に、主傾斜方向における下方に向かうに従い横方向幅が漸次拡大する落下間隙２６を有するので、傾斜板２２の上面２２ｕ上を下方移動するタバコは、たとえ火をつけられたばかりの長いタバコであっても、下方移動に従いより確実に落下間隙２６に落下して収容箱１８に収容され、選別部Ｓにおいて郵便物（大寸法物品）とタバコを確実性高く分離することができる。而も、傾斜板２２の上面２２ｕが中央から両側方へ上に凸に湾曲下降傾斜しており、その曲率が下方に向かうに従い漸次大きくなるので、傾斜上面２２ｕ上を下方移動するタバコは、下方移動に従いより確実に落下間隙２６に落下する。更に、タバコが落下間隙２６に落下せずに傾斜板２２の下方端部に達したとしても、傾斜板２２の下方端部が尖端状をなすため、小寸法物品は確実性高く落下間隙２６に落下する。従って、別の郵便物等により遮蔽板３０が前方回動状態にあったとしても、投入されたタバコが落下間隙２６に落下せずに郵袋２０に到達して郵便物が燃えたり汚損したりすることは確実性高く防がれる。
【００４６】
また、傾斜板２２は、下部が自由端部である片持ち状をなし、傾斜板２２の下方に開放空間が形成され、その開放空間は、傾斜板２２同士の間及び傾斜板２２と収容箱１８の側板１８ｓの間の落下間隙２６並びに傾斜板２２の下端と収容箱１８の前板１８ｆ上端縁の間の所定間隔ｄが連続して外部に開放している。そのため、収容箱１８がタバコ等を収容し得る実質的な容量を大きくすることができ、火がついたばかりの長いタバコであっても収容箱１８に多数収容して郵袋２０への落下を防ぎ得ると共に、傾斜板２２を備えた収容箱１８をポスト箱体Ｐから取り外して収容したタバコ等を排出する作業も円滑に行い得る。更に、収容箱１８を構成する溝形体Ｃの内底部の前後角部Ｒがそれぞれ外向きに凸の湾曲断面に形成されているので、灰や塵埃の清掃が容易である。
【００４７】
一方、差入口１２から投函された郵便物（大寸法物品）のうち厚手で所定重量より重い封筒等は、選別部Ｓの傾斜板２２上を上方から下方へ通過し、遮蔽板３０に衝突して遮蔽板３０を前方へ回動させ、収容箱１８の前板１８ｆの上方を通過して収容箱１８の前方に達し、郵袋２０内に落下する。
【００４８】
また、差入口１２から投函された郵便物（大寸法物品）のうち葉書や薄手の封筒等は、選別部Ｓの傾斜板２２上を上方から下方へ通過し、収容箱１８の前板１８ｆの上方において遮蔽板３０の下端縁の下側を通過して収容箱１８の前方に達し、郵袋２０内に落下する。
【００４９】
なお、以上の実施の形態についての記述における構成部品の個数、形状、その相対配置などは、特にそれらに限定される旨の記載がない限りは、この発明の範囲をそれらのみに限定する趣旨のものではなく、単なる説明例に過ぎない。
【図面の簡単な説明】
【００５０】
【図１】郵便ポストの要部縦断面図である。
【図２】図１におけるII-II線断面図である。
【図３】図２におけるIII-III線断面図である。
【図４】溝形体の要部断面図である。
【符号の説明】
【００５１】
１０      盗難防止板
１２      差入口
１４      導入部
１６      収容箱取付部
１８      収容箱
１８ａ    嵌合部
１８ｆ    前板
１８ｓ    側板
１８ｔ    上板
２０      郵袋
２２      傾斜板
２２ｕ    上面
２４      水平基板部
２６      落下間隙
２８      遮蔽板取付部
３０      遮蔽板
３０ｆ    遮蔽面
Ｂ        ビス止用溝
Ｂ１      細幅開口部
Ｂ２      螺合用溝底部
Ｃ        溝形体
Ｅ        離脱防止板
ｄ        所定間隔
Ｏｐ      開口部
Ｐ        ポスト箱体
Ｐｔ      天板
Ｒ        角部
Ｓ        選別部
Ｔ        ストッパ
Ｗ        重り体
【図１】
2005262028.tif 000003
【図２】
2005262028.tif 000004
【図３】
2005262028.tif 000005
【図４】
2005262028.tif 000006